(57)【要約】【課題】ＰＨＳネットワークのＰＨＳ基地局がカバーする通信エリアの特殊性に着目することにより、特定のＰＨＳ端末機器に対して広告や伝言・掲示板等の情報を配信可能とすること。【解決手段】ＰＨＳ基地局３００は広告・伝言等の不特定多数に対するメッセージ情報を蓄積情報ファイル３１０に蓄積し、ＰＨＳ端末機器１００を有するユーザの現在地をエリアとして持つＰＨＳ基地局３００から、蓄積したメッセージ情報を配信する。上記現在地をエリアとして持つＰＨＳ基地局３００に対してユーザが作成したメッセージ情報を登録して当該メッセージ情報を不特定多数のユーザに伝えられるよう構成した。【選択図】　図１
2004007223.tif 000002
【特許請求の範囲】
【請求項１】
ＰＨＳ通話を行うＰＨＳ端末機器と、エリア内に位置する前記ＰＨＳ端末機器との通信を行うＰＨＳ基地局と、このＰＨＳ基地局と接続し当該ＰＨＳ基地局を管理制御するセンタとから成るＰＨＳネットワークに於いて、
上記ＰＨＳ基地局は、
通常のＰＨＳ通話とは異なる宣伝・広告・掲示板等のサービス情報を格納する格納手段と、
この格納手段に格納する上記サービス情報の管理制御を行う制御手段とを有し、
この制御手段は、上記ＰＨＳ端末機器からの所定の指示情報に基き上記サービス情報を当該ＰＨＳ端末機器に選択的に配信するよう構成したことを特徴とするＰＨＳネットワークに於ける情報配信制御システム。
【請求項２】
上記ＰＨＳ端末機器は、所望のサービス情報を上記ＰＨＳ基地局に対して選択的に登録・編集可能とする手段を有することを特徴とする請求項１記載のＰＨＳネットワークに於ける情報配信制御システム。
【請求項３】
上記ＰＨＳ基地局は、上記ＰＨＳ端末機器からの登録・編集要求に際し、当該ＰＨＳ端末機器に関する認証処理を上記センタに対し実施する機能を有することを特徴とする請求項２記載のＰＨＳネットワークに於ける情報配信制御システム。
【請求項４】
上記ＰＨＳ基地局は、上記サービス情報の登録・編集に際し、当該サービス情報に関してチェックするチェック手段を有することを特徴とする請求項２又は請求３記載のＰＨＳネットワークに於ける情報配信制御システム。
【請求項５】
上記ＰＨＳ端末機器は、他のＰＨＳ基地局が管理するエリア内へ移動すると、当該他のＰＨＳ基地局が格納するサービス情報を受信するよう構成したことを特徴とする請求項１、請求項２、請求項３又は請求項４記載のＰＨＳネットワークに於ける情報配信制御システム。
【請求項６】
上記格納手段に格納されＰＨＳ端末機器に配信されるサービス情報は、テキストデータにて構成されることを特徴とする請求項１、請求項２、請求項３、請求項４又は請求項５記載のＰＨＳネットワークに於ける情報配信制御システム。
【請求項７】
ＰＨＳ通話を行うＰＨＳ端末機器と、エリア内に位置する前記ＰＨＳ端末機器との通信を行うＰＨＳ基地局と、このＰＨＳ基地局と接続し当該ＰＨＳ基地局を管理制御するセンタとから成るＰＨＳネットワークに於いて、
上記ＰＨＳ基地局は、
内部に格納する通常のＰＨＳ通話とは異なる宣伝・広告・掲示板等のサービス情報の管理制御を行い、
上記ＰＨＳ端末機器からの所定の指示情報に基き上記サービス情報を当該ＰＨＳ端末機器に選択的に配信するようにしたことを特徴とするＰＨＳネットワークに於ける情報配信制御方法。
【請求項８】
所望のサービス情報を上記ＰＨＳ基地局に対して選択的に登録・編集可能とする機能を有する上記ＰＨＳ端末機器が、上記ＰＨＳ基地局に対して登録・編集要求すると、
上記ＰＨＳ基地局は、当該ＰＨＳ端末機器に関する認証処理を上記センタに対して実施するようにしたことを特徴とする請求項７記載のＰＨＳネットワークに於ける情報配信制御方法。
【請求項９】
上記ＰＨＳ基地局は、上記サービス情報の登録・編集に際し、当該サービス情報に関して重複登録防止や編集不可等のプロテクト機能をチェックし、
当該チェック結果に従った処理を実行することを特徴とする請求８記載のＰＨＳネットワークに於ける情報配信制御方法。
【請求項１０】
上記ＰＨＳ端末機器は、他のＰＨＳ基地局が管理するエリア内へ移動すると、当該他のＰＨＳ基地局が格納するサービス情報を受信することを特徴とする請求項７、請求項８又は請求項９記載のＰＨＳネットワークに於ける情報配信制御方法。
【請求項１１】
上記サービス情報は、テキストデータにて提供されることを特徴とする請求項７、請求項８、請求項９又は請求項１０記載のＰＨＳネットワークに於ける情報配信制御方法。
【発明の詳細な説明】
【０００１】
【発明の属する技術分野】
本発明は、限られたエリア内に位置するＰＨＳ端末機器に対してＰＨＳ通話処理を行うＰＨＳ基地局の特徴を利用し、ＰＨＳ端末機器に対して広告・伝言や掲示板等のサービス情報を配信するよう機能改善を図ったＰＨＳネットワークに於ける情報配信制御システム及びＰＨＳネットワークに於ける情報配信制御方法に関する。
【０００２】
【従来の技術】
従来、ＰＨＳネットワークのシステムに於いては、ＰＨＳ端末機器（ＰＨＳ電話器）を有するユーザの個人対個人の通話による通信が主であり、個人が不特定多数の他のＰＨＳ端末機器を有するユーザに対して情報を発信するようなシステムは提供されていなかった。又、事業主がユーザに対して電子メール等の受信時に、各種案内メッセージ等を付加するようなことはあったが、これは個人が複数の他のユーザに対してメッセージ等を発信するのとは性格を異にするものであった。
【０００３】
【発明が解決しようとする課題】
上述したように従来のＰＨＳネットワークでは、通常の有線電話回線電話のように個人対個人のリアルタイムの通話が主であった。一方、近時、電子メールに代表されるようなの電子メールメッセージ方式による会話も一般化され、通常の電話のようにリアルタイムで会話を行う必要性は従来に比して薄れてきている。
【０００４】
又、広告・伝言等の各種情報配信の現状を考えると、不特定多数を対象とするテレビ・新聞・新聞の折り込み広告・タウン誌等といったマスメディアによる媒体が一般的であり、従来のＰＨＳネットワークでは個人レベルや地域レベルの宣伝等には不向き或いは不適当なものであった。
【０００５】
そこで、本発明は上記事情を考慮して成されたもので、ＰＨＳネットワークのＰＨＳ基地局がカバーする通信エリアの特殊性に着目することにより、上記不具合を解消し、特定のＰＨＳ端末機器に対して広告や伝言・掲示板等のサービス情報を配信可能としたＰＨＳネットワークに於ける情報配信制御システム及びＰＨＳネットワークに於ける情報配信制御方法を提供することを目的とする。
【０００６】
【課題を解決するための手段】
本発明は上記目的を達成する為、ＰＨＳネットワークシステムに於ける個々の公衆基地局（ＰＨＳ基地局）が、広告・伝言等の不特定多数に対するメッセージ情報（サービス情報）を蓄積し、ＰＨＳ端末機器を有するユーザの現在地をエリアとして持つＰＨＳ基地局から、個人レベルによる広告・伝言等のメッセージ情報を受信できるよう構成した。又、上記現在地をエリアとして持つＰＨＳ基地局に対してユーザが作成したメッセージ情報を登録して当該メッセージ情報をエリア内の不特定多数のユーザに伝えられるよう構成した。
【０００７】
上記構成によれば、個々のＰＨＳ基地局に対してメッセージ情報の蓄積機能を持たせられるので、ＰＨＳ基地局は当該基地局のエリア内にて伝言板的な機能を持つことができ、或るＰＨＳ端末機器のユーザから当該エリア内の不特定多数のＰＨＳ端末機器のユーザに対するローカルな情報の伝達が可能となる。
【０００８】
【発明の実施の形態】
以下、本発明の一実施形態を図を参照して説明する。
【０００９】
図１は、本実施形態に係るＰＨＳネットワークのシステム全体を概略的に示す図である。本システムは、ＰＨＳ端末機器１００と、自身がカバーする無線通信エリア２００内に位置するＰＨＳ端末機器１００と通信するＰＨＳ基地局３００、このＰＨＳ基地局３００と例えばＩＳＤＮ回線からなるネットワーク４００にて接続するセンタ５００とから構成される。
【００１０】
ＰＨＳ端末機器１００は、従来のＰＨＳ無線通信エリア内に於ける通信機能を有すると共に、メッセージ情報（サービス情報）を作成処理して当該メッセージ情報をＰＨＳ基地局３００に対して登録処理するメッセージ作成登録機能及び当該登録した情報を編集処理（削除処理を含む。）する編集機能、並びにＰＨＳ基地局３００に登録された各種メッセージ情報を受信し選択的に取り出すメッセージ受信機能を有する。ここで、メッセージ作成登録処理、編集処理及びメッセージ受信処理の各処理は、ＰＨＳ端末機器−ＰＨＳ基地局間で用いられるＣＣ呼設定メッセージによりおこなわれるものである。
【００１１】
ＰＨＳ基地局３００は、自身がカバーする通常、半径１００ｍ〜５００ｍのエリア内で、従来同様にＰＨＳ端末機器１００からのＰＨＳ通話を処理する基地局機能を有すると共に、後に詳述するように、ＰＨＳ端末機器１００からのＣＣ呼設定メッセージを受信・解析してＰＨＳ端末機器１００からの要求情報を認識する機能を有するものである。即ち、ＰＨＳ基地局３００は、ＰＨＳ端末機器１００から送出されてくるＣＣ呼設定メッセージを解析し、それがメッセージ情報の登録要求処理に関するものであるか、登録されているメッセージ情報の編集処理要求に関するものであるか、或いは登録されているメッセージ情報の取り出し処理要求処理なのかを認識し、それに基き後処理を実行する機能を有する。
【００１２】
センタ５００は、従来のＰＨＳ通信に於けるＰＨＳ端末機器１００及びＰＨＳ基地局３００等の管理・制御を行う機能を有すると共に、後述するように、ＰＨＳ基地局３００からの要求に基きＰＨＳ端末機器１００に関する認証処理を行う機能を有するものである。即ち、前記登録処理並びに編集処理に際しての認証処理や、前記編集処理に際して前記「受付番号」により情報が蓄積されているＰＨＳ基地局３００が特定する処理等を実行する機能を有する。
【００１３】
次に、ＰＨＳ基地局３００に関し、図２を参照して詳述する。ＰＨＳ基地局３００は、蓄積情報ファイル３１０の他に基地局３００全体の制御・管理を行うと共にＰＨＳ端末機器１００のユーザによるサービスオーダの解析を行う主制御部３２０と、この主制御部３２０と公衆回線網間に接続され、主制御部３２０の指示により回線側の接続制御を実施する回線制御部３３０と、主制御部３２０の指示により後述の無線部３５０の制御を実施する無線制御部３４０と、無線制御部３４０の指示によりＰＨＳ無線の送受信を行いＰＨＳ端末機器１００の接続を実施する無線部３５０と、前記ＰＨＳユーザによるサービスオーダを主制御部３２０の指示により実施する共にデータ蓄積が必要なサービスについては蓄積情報ファイル３１０へ保存・編集削除等のデータ管理を実施するサービス制御部３６０とを有するものである。
【００１４】
上記構成につき、メッセージ情報の作成登録処理、編集処理、配信処理の動作・作用を図３に示すフローチャートを参照して説明する。
【００１５】
先ず、メッセージ情報をＰＨＳ基地局３００へ登録する場合を説明する。ＰＨＳ端末機器１００にてＰＨＳ基地局３００へ登録する為のデータをテキストデータにて作成し（図３のステップＳ３０２参照）、ＰＨＳ端末機器１００からＰＨＳ基地局３００へ発呼する（ステップＳ３０４）。発呼の際には、この発呼が情報登録の為の発呼であることをＰＨＳ基地局３００が認識できるようにする為、特番又はファシリティ等による発呼とし、作成データを付加してＰＨＳ基地局３００へ送信する（ステップＳ３０６）。すると、ＰＨＳ基地局３００はＣＣ呼設定メッセージを受信してサービスオーダを解析し、センタ５００に対して認証要求する（ステップＳ３０８）。認証の結果、「認証ＯＫ」の許可が出れば（ステップＳ３１０のＹＥＳ）、重複登録か否かの確認処理が実行されるものである（ステップＳ３１２）。
【００１６】
ここで、重複登録処理について図４のフローチャート参照して詳述すると、ＰＨＳ端末機器１００からの発呼をＰＨＳ基地局３００が受信した際、ＰＨＳ基地局３００が情報登録の為の発呼であると認識した場合、蓄積情報ファイル３１０を検索する（ステップＳ４０２、Ｓ４０４）。ＰＨＳ端末機器１００と同じ発電番が存在すると、ステップＳ４０６乃至ステップＳ４１２に示す処理が実行される。同じ発電番が存在しないＰＨＳ基地局３００が周囲に存在する場合、メッセージ情報の登録が実施される（図３のステップＳ３１４以後の処理参照）。
【００１７】
このように重複登録でない場合、ＰＨＳ端末機器１００からのメッセージ情報は情報蓄積ファイル３１０に格納処理される（ステップＳ３１４）。格納に際しては、格納データをＰＨＳ端末機器１００の発番号や受付番号を関連付けて管理するよう構成されている。このようにして、ＰＨＳ基地局３００はＰＨＳ端末機器１００に対して登録処理の完了を通知して接続を切断する（ステップＳ３１６）。又、登録の完了通知には、受付番号を付加するものとし、受付番号にはどのＰＨＳ基地局３００へ情報登録したのかが判るよう基地局ＩＤ等を設定する。尚、認証に失敗した場合は（ステップＳ３１０のＮＯ）、メッセージ情報の登録不可の処理を実行して処理を終える（ステップＳ３１８）。又、重複登録の確認処理（ステップＳ３１２）で重複登録であった場合、図４のフローチャートに於けるステップＳ４０６やステップＳ４１２に示すように登録不可の旨のメッセージがＰＨＳ端末機器１００に対して返信されるものである。
【００１８】
この一連の処理の流れは、図５（メッセージ情報の登録処理）及び図６（メッセージ情報の登録拒否／再登録処理）の機能ブロック図からより明確化される。即ち、図５においては、基地局Ａに対して、ＰＨＳ端末機器１００から登録情報「Ａ」を付加して特番或いはファシリティによる発呼を行うと（図５中の▲１▼）、情報登録に関する認証要求が成される（図５中の▲２▼）。情報登録に対する認証応答（認証ＯＫ）が成され（図５中の▲３▼）かつ、重複登録でない場合、メッセージ情報が蓄積情報ファイルに蓄積される、いわゆる、登録情報の書き込み処理が行われる（図５中の▲４▼）。そしてこの書き込み処理が完了すると登録した基地局Ａが特定可能な「受付番号」を付加して（図５中の▲５▼）終了する。
【００１９】
又、図６においては、隣接する基地局Ｂに対して、登録情報「Ａ」を付加し特番又はファシリティによる発呼を行う情報登録要求があると（図６中の▲１▼）、情報登録に対する認証要求が実施される（図６中の▲２▼）。情報登録に対する認証応答が認証ＯＫであれば（図６中の▲３▼）重複登録の有無を確認し、重複登録でない場合、蓄積情報ファイル３１０に対して登録情報の書き込みが行われる（図６中の▲４▼）。登録したＰＨＳ基地局Ｂ３００は特定可能な「受付番号」を付加して情報登録完了となる（図６中の▲５▼）。なお、この際、隣接する基地局Ａに対しても同様な情報登録要求があると、同様に認証要求および認証応答が行われるが、重複登録の有無を確認により、すでに同じ内容の情報「Ａ」が登録されている場合には、登録が拒否される。
【００２０】
次に、ＰＨＳ基地局３００に登録したメッセージ情報を編集（削除を含む。）する場合を説明する。通常動作では、登録情報の削除についてはＰＨＳ基地局３００毎に一定時間毎に自動的に行うよう構成されている。又、ユーザから自分の登録した情報を編集することも可能となるよう構成されている。即ち、登録時使用したＰＨＳ端末機器１００から登録時受信した受付番号を付加し、編集・削除の特番又はファシリティ発呼を行うことにより実現する（図７のステップＳ７０２乃至Ｓ７０６参照）。ＰＨＳ基地局３００はＰＨＳ端末機器１００からの発呼を解析し編集処理要求であると認識すると、ＰＨＳ端末機器１００の発電番と受付番号を付加してセンタ５００に対して認証処理を行う（ステップＳ７０８）。センタ５００は受付番号をもとにメッセージ情報が登録されているＰＨＳ基地局３００へ発電番を付加して情報編集の為の指示情報を送信する（ステップＳ７１０）。情報編集の指示を受けたＰＨＳ基地局３００は、発電番をもとに該当情報の編集を行い、センタ５００は情報編集完了の通知を送信する。センタ５００は情報編集の完了通知を受けると、ＰＨＳ基地局３００の認証に対し認証ＯＫを返す（ステップＳ７１２）。ＰＨＳ基地局３００は、認証ＯＫを受信すると、ＰＨＳ端末機器１００に対し編集処理完了の通知を送信し切断する（ステップＳ７１４）。尚、認証に失敗した場合は（ステップＳ７１２のＮＯ）、メッセージ情報の編集不可の処理を実行して処理を終える（ステップＳ７１６）。
【００２１】
この一連の処理の流れは図８の機能ブロック図からより明確化されるものである。即ち、登録の「受付番号」を付加し特番又はファシリティによる発呼を行う情報登録の要求があると（図８中の▲１▼）、情報編集に対する認証要求が実行される（図８中の▲２▼）。認証ＯＫであれば、蓄積情報ファイル３１０に対する情報編集指示（図８中の▲３▼）と、当該指示による情報編集が実行される（図８中の▲４▼）。そして、蓄積情報ファイル３１０からの蓄積情報編集完了通知（図８中の▲５▼）と、情報削除に対する認証応答（認証ＯＫ、図８中の▲６▼）と、登録した情報が編集されたことを通知して終了する（図８中の▲７▼）。
【００２２】
更に、図９のフローチャートを参照してＰＨＳ基地局３００から登録情報の取り出して配信する場合について以下に説明する。登録情報は基本的にＰＨＳ基地局３００毎に管理され格納されているので、例えばユーザがエリアＡに居て、ＰＨＳ端末機器１００から情報の取り出しの特番を入力し、「送信」ボタンのようなファシリティにより発呼すると（ステップＳ９０２、Ｓ９０４）、エリアＡを範囲に持つＰＨＳ基地局３００がＰＨＳ端末機器１００を発呼受信して発呼の内容を解析することになる（ステップＳ９０６）。ＰＨＳ基地局３００（基地局Ａとする。）は発呼の内容が情報取り出しであることを認識すると、基地局Ａの情報蓄積ファイル３１０から該当データ情報を取り出して端末機器１００へ情報を送信し切断することになる（ステップＳ９０８乃至ステップＳ９１８）。又、エリアＡに居たユーザがエリアＢへ移動し再度情報取り出しを行った場合、ＰＨＳ端末機器１００からの発呼は、エリアＢのＰＨＳ基地局３００（基地局Ｂとする。）により解析され基地局Ｂに蓄積されている情報がＰＨＳ端末機器１００へ送信されることになる。
【００２３】
この一連の処理の流れは図１０の機能ブロック図からより明確化されるものである。即ち、情報取り出しを特番又はファシリティ発呼により情報取り出し要求を行うと（図１０中の▲１▼）、蓄積情報ファイル３１０から蓄積情報を読み出す登録情報の読み出しが行われる（図１０中の▲２▼）。そして、登録されたデータ情報をＰＨＳ端末機器１００に送信即ち登録情報の配信が行われて終了する（図１０中の▲３▼）。エリアＡに居たユーザがエリアＢへ移動した場合、それぞれのエリアＡ、Ｂにおいて、それぞれの基地局Ａ、Ｂから同一または異なる内容の登録情報を読み出すことができる。なお、この配信は登録された情報の中の特定の情報を選択的に読み出すようにしてもよい。
【００２４】
このような本発明の実施形態によれば、各ＰＨＳ基地局に小容量の記憶装置を含む簡単な装置を負荷することにより、メッセージ情報を主体とする情報を不特定のユーザに対して配信するサービスが可能となる。メッセージによる会話が一般化された昨今においては、電子メールを送出するような感覚で個人レベルのメッセージ（宣伝・広告等）を登録し、メールを読むような感覚でＰＨＳ基地局３００に登録されたメッセージを取り出すことができる。
【００２５】
上述したように本実施形態によれば、ＰＨＳ基地局３００が個々にメッセージ情報の蓄積及び管理（データの登録・編集・削除）・配信を行うよう構成されているので、個々のＰＨＳ基地局３００がカバーするエリア内で、ＰＨＳ端末機器１００のユーザが配信したい情報を自由に情報登録し、あるいは同一エリア内の他のＰＨＳ端末機器１００を利用する不特定多数のＰＨＳユーザが、自由に登録された蓄積情報を受信することが可能となる。又、本サービスは、ＰＨＳ基地局３００単位のサービスである為、他のＰＨＳ基地局３００がカバーするエリアへユーザが移動した場合には、別の情報をユーザは受信できる。
【００２６】
また、本発明の実施形態によれば、同一のメッセージ情報を配信できる範囲は、ＰＨＳ基地局のサービスエリアのため比較的狭いが、その狭さによりローカル性の高い、その地域に密着した情報の配信が可能となるという利点を有している。　例えば、「○○公園でフリーマーケットをします。きてください！」、「××商店です。今日は大根が安いですよ！！」、「我が家の猫が逃げました！捕まえて下さい！特徴は…。」といったようなメッセージの登録・編集・配信が可能である。
【００２７】
あるいは、その土地に不慣れなユーザが、駅を降りてその周辺のレストラン、ホテル、各種ショップを探す場合、これらの情報が近くの基地局に登録されていることにより、必要な情報を容易に入手することができる。そしてこのような情報は、ユーザの移動と共に、常にその地域に固有の情報が得られるため、見知らぬ土地を移動するユーザにとっては極めて便利なガイドとなる。
【００２８】
【発明の効果】
以上詳記したように本発明によれば、ＰＨＳ基地局単位にてメッセージデータの蓄積・管理が行える共に、ＰＨＳ基地局がカバーするエリアの特殊性（範囲が狭い）により地域に密着した木目の細かい情報の提供（広告や伝言・掲示板等の情報提供）が期待できるものである。又、配信情報は主としてメッセージ情報であるため、ＰＨＳ無線のリソースに簡単な装置を負荷することにより利用できるので、経済的も安価なものである。
【図面の簡単な説明】
【図１】本発明の一実施形態に係るＰＨＳネットワークの全体構成を概略的に示す図。
【図２】同実施形態に係り、ＰＨＳ基地局の概略構成を示す図。
【図３】同実施形態に係り、メッセージ情報の登録処理の流れを示すフローチャート。
【図４】同実施形態に係り、メッセージ情報の重複登録確認の処理の流れを示すフローチャート。
【図５】同実施形態に係り、メッセージ情報の登録処理の流れを示す機能ブロック図。
【図６】同実施形態に係り、メッセージ情報の重複登録確認の処理の流れを示す機能ブロック図。
【図７】同実施形態に係り、メッセージ情報の編集処理の流れを示すフローチャート。
【図８】同実施形態に係り、メッセージ情報の編集処理の流れを示す機能ブロック図。
【図９】同実施形態に係り、メッセージ情報の配信処理の流れを示すフローチャート。
【図１０】同実施形態に係り、メッセージ情報の配信処理の流れを示す機能ブロック図。
【符号の説明】
１００…ＰＨＳ端末機器、２００…ＰＨＳ無線ネットワーク、３００…ＰＨＳ基地局、３１０…蓄積情報ファイル、４００…ネットワーク、５００…センタ。
【図１】
2004007223.tif 000003
【図２】
2004007223.tif 000004
【図３】
2004007223.tif 000005
【図４】
2004007223.tif 000006
【図５】
2004007223.tif 000007
【図６】
2004007223.tif 000008
【図７】
2004007223.tif 000009
【図８】
2004007223.tif 000010
【図９】
2004007223.tif 000011
【図１０】
2004007223.tif 000012